(57)【要約】【課題】計測器自動読取装置において、測定値を適切に取得できるようにする。【解決手段】計測器（１）を照明する照明灯（３）の調光状態を制御する照明制御部（５３）と、計測器（１）を撮像するカメラ（２）に対して、照明灯（３）の複数の調光状態において計測器（１）を撮像させて複数の画像データを取得する機能と、画像データ毎に計測器（１）の測定値を読み取る機能と、を有する数値読取部（５２）と、画像データ毎に信頼度（Ｒ）を算出する機能と、信頼度（Ｒ）が他の画像データよりも高い画像データに対応する測定値の読取結果を選択する機能と、を有する判定部（５４）と、を計測器自動読取装置（５）に設けた。【選択図】図１
2017106782.tif 000002
【特許請求の範囲】
【請求項１】
計測器を照明する照明灯の調光状態を制御する照明制御部と、
前記計測器を撮像するカメラに対して、前記照明灯の複数の前記調光状態において前記計測器を撮像させて複数の画像データを取得する機能と、前記画像データ毎に前記計測器の測定値を読み取る機能と、を有する数値読取部と、
前記画像データ毎に信頼度を算出する機能と、前記信頼度が他の画像データよりも高い画像データに対応する前記測定値の読取結果を選択する機能と、を有する判定部と、
を有することを特徴とする計測器自動読取装置。
【請求項２】
前記照明灯の複数の前記調光状態は、前記照明灯の点灯状態と、前記照明灯の消灯状態とを少なくとも含む
ことを特徴とする請求項１に記載の計測器自動読取装置。
【請求項３】
前記照明灯の複数の前記調光状態は、前記照明灯の複数の輝度における複数の点灯状態と、前記照明灯の消灯状態とを含む
ことを特徴とする請求項２に記載の計測器自動読取装置。
【請求項４】
前記計測器に対応して設けられた照度計から、前記照明灯の消灯状態における照度である消灯状態照度を受信する照度判定部と、
過去の消灯状態照度と、前記過去の消灯状態照度に対応して前記判定部にて選択された読取結果に係る過去の調光状態と、を記憶する記憶部と、
を有し、
前記照明制御部は、前記照度判定部が受信した前記消灯状態照度と、前記過去の消灯状態照度との差が所定範囲内であるとき、前記照明灯に対して、前記過去の調光状態を設定する機能をさらに有する
ことを特徴とする請求項３に記載の計測器自動読取装置。
【請求項５】
前記記憶部は、複数の前記過去の消灯状態照度と、複数の前記過去の消灯状態照度にそれぞれ対応して、前記判定部にて選択された複数の読取結果に係る複数の過去の調光状態と、を対応付けて記憶する
ことを特徴とする請求項４に記載の計測器自動読取装置。
【請求項６】
計測器と、前記計測器を照明する照明灯と、前記計測器を撮像するカメラと、コンピュータと、を有する計測器自動読取システムに適用されるプログラムであって、前記コンピュータを、
前記照明灯の調光状態を制御する照明制御手段、
前記カメラに対して、複数の前記調光状態において前記計測器を撮像させて複数の画像データを取得する機能と、前記画像データ毎に前記計測器の測定値を読み取る機能とを有する数値読取手段、
前記画像データ毎に信頼度を算出する機能と、前記信頼度が他の画像データよりも高い画像データに対応する前記測定値の読取結果を選択する機能と、を有する判定手段、
として機能させるためのプログラム。
【発明の詳細な説明】
【技術分野】
【０００１】
本発明は、計測器自動読取装置およびプログラムに関する。
【背景技術】
【０００２】
データ出力機能を元々有していない計測器等の表示部を、カメラ等で撮像して測定値を読み取る技術が知られている。その一例として、下記特許文献１の段落００２３には、「各撮像カメラ２１〜２９は、計測器１１〜１５及び１７〜１９をそれぞれ照明する照明灯５１〜５５及び５７〜５９と、重油タンク１６ａを照明する照明灯５６を備える。これら照明灯は撮像カメラ２１〜２９の撮像タイミングに合わせて点灯制御される構成になっている。」と記載されている。
【先行技術文献】
【特許文献】
【０００３】
【特許文献１】特開２０１１−１６３８５６号公報
【発明の概要】
【発明が解決しようとする課題】
【０００４】
特許文献１においては、撮影対象である計測器の周辺の照明環境については、特に考慮はされていない。しかし、計測器の周辺環境が明るい場合に照明灯を点灯させると、撮像した画像に白飛びが生じ、測定値を取得できなくなる可能性がある。逆に、周辺環境が暗い場合に照明灯を消灯させると、撮像した画像に黒潰れが生じ、やはり測定値を取得できなくなる可能性がある。
この発明は上述した事情に鑑みてなされたものであり、測定値を適切に取得できる計測器自動読取装置およびプログラムを提供することを目的とする。
【課題を解決するための手段】
【０００５】
上記課題を解決するため本発明の計測器自動読取装置は、計測器を照明する照明灯の調光状態を制御する照明制御部と、前記計測器を撮像するカメラに対して、前記照明灯の複数の前記調光状態において前記計測器を撮像させて複数の画像データを取得する機能と、前記画像データ毎に前記計測器の測定値を読み取る機能と、を有する数値読取部と、前記画像データ毎に信頼度を算出する機能と、前記信頼度が他の画像データよりも高い画像データに対応する前記測定値の読取結果を選択する機能と、を有する判定部と、を有することを特徴とする
【発明の効果】
【０００６】
本発明によれば、測定値を適切に取得できる。
【図面の簡単な説明】
【０００７】
【図１】本発明の第１実施形態による計測器自動読取システムのブロック図である。
【図２】第１実施形態における制御プログラムのフローチャートである。
【図３】数値読取部の動作説明図である。
【図４】第２実施形態における制御プログラムのフローチャートである。
【図５】第３実施形態による計測器自動読取システムのブロック図である。
【図６】第３実施形態における制御プログラムのフローチャートである。
【図７】第４実施形態における制御プログラムのフローチャートである。
【発明を実施するための形態】
【０００８】
［第１実施形態］
＜第１実施形態の構成＞
まず、図１に示すブロック図を参照し、本発明の第１実施形態による計測器自動読取システムの構成を説明する。
図１において複数の計測器１は、電圧、電流、温度、湿度、流体の速度、圧力等、各種物理量を測定し、各々の表示部１ａに測定値を表示する。表示部１ａは、数字等の配列であるデジタル値によって測定値を表示する場合があり、また、メータの指針等のアナログ値によって測定値を表示する場合もある。
【０００９】
複数の撮像カメラ２は、各計測器１の表示部１ａを撮像する。また、複数の照明灯３は、各表示部１ａを必要に応じて照明する。図示の例においては、一台の計測器１（または表示部１ａ）に対して、撮像カメラ２と照明灯３とを各一台割り当てているが、撮像カメラ２および照明灯３は、複数の計測器１（または表示部１ａ）に対して一台を割り当てるようにしてもよい。撮像カメラ２は、撮像指令の制御信号をネットワーク４を介して受信すると、表示部１ａを撮像し、ネットワーク４を介して撮像した画像データを送信する。また、照明灯３は、ネットワーク４を介して供給された制御信号によって、調光状態が制御される。ここで、「調光状態」とは、点灯状態または消灯状態であり、点灯状態である場合には照明灯３の輝度に対応する値も含む。なお、「輝度に対応する値」は輝度そのものであってもよいが、照明灯３に印加する電圧値や、照明灯３に供給する電流値等であってもよい。
【００１０】
制御装置５は、ネットワーク４を介して、撮像カメラ２および照明灯３を制御する。制御装置５は、ＣＰＵ（Central Processing Unit）、ＲＡＭ（Random Access Memory）、ＲＯＭ（Read Only Memory）、ＨＤＤ（Hard Disk Drive）等、一般的なコンピュータとしてのハードウエアを備えており、ＨＤＤには、ＯＳ（Operating System）、アプリケーションプログラム、各種データ等が格納されている。ＯＳおよびアプリケーションプログラムは、ＲＡＭに展開され、ＣＰＵによって実行される。図１において制御装置５の内部は、ＲＡＭに展開されたアプリケーションプログラム等によって実現される機能を、ブロックとして示している。
【００１１】
制御装置５の内部において、インタフェース部５０は、制御装置５内の各部とネットワーク４との間のデータの送受信を仲介する。タイミング制御部５１は、所定時間毎に、計測器１の測定値の読取動作を開始させる。照明制御部５３は、撮像カメラ２の撮像タイミングに合せて、照明灯３を所定輝度の点灯状態、または消灯状態の何れかに設定する。数値読取部５２は、照明灯３の点灯状態および消灯状態の撮像結果である画像データを受信し、それぞれについて測定値を読み取るとともに、各測定値の読取結果について「画像信頼度Ｒ１」というパラメータを出力する。ここで、画像信頼度Ｒ１とは、画像データに対する読取結果の信頼度を「０」〜「１」の範囲で示すパラメータであり、「０」は最も信頼度が低く、「１」は最も信頼度が高い。なお、画像信頼度Ｒ１の詳細については後述する。
【００１２】
判定部５４は、数値読取部５２の各読取結果に対して、「数値妥当性Ｒ２」というパラメータを算出する。ここで、数値妥当性Ｒ２とは、読取結果である測定値の妥当性を「０」〜「１」の範囲で示すパラメータであり、「０」は最も妥当性が低く、「１」は最も妥当性が高い。なお、数値妥当性Ｒ２の詳細についても後述する。判定部５４は、さらに、読取結果毎に画像信頼度Ｒ１と数値妥当性Ｒ２とを乗算することによって、「総合信頼度Ｒ」というパラメータを算出する。総合信頼度Ｒについても、「０」は最も信頼度が低く、「１」は最も信頼度が高くなる。そして、判定部５４は、各読取結果の中から総合信頼度Ｒが最も高いものを選択し、その読取結果を最終的な測定値として決定する。
【００１３】
＜第１実施形態の動作＞
（全体動作）
次に、図２に示すフローチャートを参照し、本実施形態の動作を説明する。なお、本フローチャートは、制御装置５に記憶された制御プログラムのフローチャートである。
計測器１の測定値の読取動作を開始させるべき読取タイミングになると、タイミング制御部５１は、該制御プログラム（図２）を起動する。
図２において処理がステップＳ１０１に進むと、各照明灯３の点灯・消灯状態の双方において、数値読取部５２が各計測器１の表示部１ａを撮像する。
【００１４】
すなわち、照明制御部５３は各照明灯３を所定輝度の点灯状態にし、数値読取部５２は各撮像カメラ２に撮像を実行すべき旨の制御信号を供給する。これにより、各撮像カメラ２によって、点灯状態の表示部１ａの画像データが撮像される。撮像された画像データは、ネットワーク４、インタフェース部５０を介して数値読取部５２に供給される。しかる後、照明制御部５３は各照明灯３を消灯状態にし、数値読取部５２は各撮像カメラ２に撮像を実行すべき旨の制御信号を供給する。これにより、各撮像カメラ２によって、消灯状態の表示部１ａの画像データが撮像される。撮像された画像データは、ネットワーク４、インタフェース部５０を介して数値読取部５２に供給される。
【００１５】
次に、処理がステップＳ１０２に進むと、数値読取部５２は、各画像データから測定値である数値を読み取る。すなわち、数値読取部５２は、点灯・消灯状態に撮影された各画像データを解析することによって、点灯・消灯状態に各々対応する測定値である数値を読み取るとともに、各読取結果における画像信頼度Ｒ１を算出する。
【００１６】
次に、処理がステップＳ１０３に進むと、判定部５４によって、今回の読取タイミングにおける各表示部１ａの最終的な測定値が決定される。すなわち、判定部５４は、点灯・消灯状態に各々対応する読取結果に基づいて数値妥当性Ｒ２を計算し、点灯・消灯状態に各々対応する総合信頼度Ｒ（＝Ｒ１×Ｒ２）を計算する。そして、各表示部１ａの点灯・消灯状態の読取結果のうち、総合信頼度Ｒが高い方の読取結果を、今回の読取タイミングにおける測定値に設定する。上述したステップＳ１０１〜Ｓ１０３の動作が所定時間毎に繰り返されることにより、該所定時間毎の各表示部１ａの測定値が制御装置５に蓄積されてゆく。
【００１７】
（画像信頼度Ｒ１の決定方法）
次に、図３（ａ），（ｂ）を参照し、数値読取部５２において、上述した画像信頼度Ｒ１を求める動作の詳細を説明する。
まず、計測器１の表示部１ａがデジタル値（「０」〜「９」の複数桁の数字）によって測定値を表示する場合について説明する。かかる場合、数値読取部５２は、「０」〜「９」の各数字について、基準となるテンプレート画像を予め記憶している。テンプレート画像は、撮像カメラ２がその数字を正確に撮像できたと仮定した場合の画像である。例えば、計測器１が７セグメント表示器で測定値を表示する場合、数字の「８」のテンプレート画像は図３（ａ）に示すようになる。
【００１８】
数値読取部５２に表示部１ａの画像データが供給されると、数値読取部５２は、画像データ中の各桁に対応する部分と、「０」〜「９」の各テンプレート画像とを比較し、画素の一致率を計算する。そして、一致率の最も高いテンプレート画像に係る数値（「０」〜「９」）が、各桁の数値であると判定される。さらに、各桁の画素の一致率の総乗が求められ、その結果が画像信頼度Ｒ１として、判定部５４に出力される。
【００１９】
次に、計測器１の表示部１ａがアナログ値（目盛板と指針）によって測定値を表示する場合について説明する。かかる場合に、表示部１ａを撮像した画像データ１２は、例えば図３（ｂ）に示すようになる。図３（ｂ）において、画像データ１２は、測定した物理量に応じて動く指針の画像である指針画像１３と、目盛板に印刷された目盛、数値、型番、製造者名等の背景画像１４とを含んでいる。
【００２０】
この場合、数値読取部５２は、画像データ１２の中から指針画像１３を抽出し、その位置または傾き等に基づいて、測定値を読み取る。また、数値読取部５２は、表示部１ａが正確に撮影された画像から指針画像１３を消去した画像をテンプレート画像として予め記憶している。そして、数値読取部５２は、画像データ１２の各画素と、テンプレート画像の各画素とを比較し、画素の一致率を計算し、この画素の一致率を画像信頼度Ｒ１として出力する。これは、背景画像１４（目盛板に印刷された文字等）が正確に撮影されているならば、指針画像１３も正確に撮影されている可能性が高いと考えられるためである。
【００２１】
（数値妥当性Ｒ２の決定方法）
次に、判定部５４における数値妥当性Ｒ２の決定方法の例について説明する。
ある工場にて、全ての設備を稼働させた際の消費電力（有効電力）の最大値が３０ｋＷであったとする。そして、計測器１の一つとして、工場全体の積算電力量計が含まれており、１０分毎に上述した制御プログラム（図２）が起動され、積算電力量計の測定値が読み取られるものとする。
【００２２】
上述した工場にて１０分あたり消費される電力量の最大値は、「３０ｋＷｈ×１０／６０」＝「５ｋＷｈ」になるはずである。すると、今回の測定値が１０分前の測定値に対して「０〜５ｋＷｈ大きい」場合、今回の測定値は妥当性が高い（測定値が正しく読み取られた可能性が高い）と考えられるため、数値妥当性Ｒ２を比較的高い値、例えば「１」にするように、判定部５４を設定しておくとよい。
【００２３】
一方、「今回の測定値が１０分前の測定値よりも５ｋＷｈを超えて大きい」場合や、「今回の測定値が１０分前の測定値よりも小さい」場合、今回の測定値は妥当性が低い（測定値が誤って読み取られた可能性が高い）と考えられるため、数値妥当性Ｒ２を比較的低い値、例えば「０」にするように、判定部５４を設定しておくとよい。
【００２４】
以上、積算電力量計の測定値を例として説明したが、他の様々な物理量（電圧、電流、温度、湿度、流体の速度、圧力等）の測定値について、測定値の妥当性が高い（測定値が正しく読み取られた可能性が高い）範囲については数値妥当性Ｒ２を高く、測定値は妥当性が低い（測定値が誤って読み取られた可能性が高い）範囲については数値妥当性Ｒ２を低く設定するとよい。
【００２５】
以上のように、本実施形態によれば、点灯状態および消灯状態における読取結果の中から総合信頼度Ｒ（＝Ｒ１×Ｒ２）が高い方の読取結果を測定値に設定するため、信頼度の高い測定値を適切に取得できる。
【００２６】
［第２実施形態］
次に、本発明の第２実施形態による計測器自動読取システムについて説明する。
第２実施形態のハードウエア構成は、第１実施形態のもの（図１）と同様であるが、数値読取部５２、照明制御部５３、判定部５４の機能は第１実施形態のものとは相違する。まず、本実施形態における照明制御部５３は、撮像カメラ２の撮像タイミングに合せて、各照明灯３の調光状態を多段階に渡って切り替える。なお、「多段階」とは、「３以上の段階」であり、その中に「消灯状態」も含めることが望ましい。
【００２７】
また、数値読取部５２は、調光状態の各段階における撮像結果である画像データを受信し、それぞれについて測定値を読み取るとともに、各測定値の読取結果について画像信頼度Ｒ１を出力する。また、判定部５４は、数値読取部５２の各読取結果に対して、数値妥当性Ｒ２を算出するとともに総合信頼度Ｒ（＝Ｒ１×Ｒ２）を算出する。そして、判定部５４は、各読取結果の中から総合信頼度Ｒが最も高いものを選択し、その読取結果を最終的な測定値として決定する。
【００２８】
次に、図４に示すフローチャートを参照し、本実施形態の動作を説明する。なお、本フローチャートは、制御装置５に記憶された制御プログラムのフローチャートである。
計測器１の測定値の読取動作を開始させるべき読取タイミングになると、タイミング制御部５１は、該制御プログラム（図４）を起動する。
図４において処理がステップＳ２０１に進むと、照明制御部５３は、各照明灯３の調光状態を多段階に変化させ、数値読取部５２は、各段階において、各表示部１ａを各撮像カメラ２に撮像させる。これにより、各撮像カメラ２によって、その時点の調光状態における表示部１ａの画像データが撮像される。撮像された画像データは、ネットワーク４、インタフェース部５０を介して数値読取部５２に供給される。
【００２９】
次に、処理がステップＳ２０２に進むと、数値読取部５２は、各表示部１ａの各調光状態の画像データから、測定値である数値を読み取るとともに、各読取結果における画像信頼度Ｒ１を算出する。次に、処理がステップＳ２０３に進むと、判定部５４は各読取結果に基づいて数値妥当性Ｒ２を計算するとともに総合信頼度Ｒを計算し、各表示部１ａについて、総合信頼度Ｒが最も高い読取結果を、今回の読取タイミングにおける測定値に設定する。上述したステップＳ２０１〜Ｓ２０３の処理が所定時間毎に繰り返されることにより、該所定時間毎の各表示部１ａの測定値が制御装置５に蓄積されてゆく。
【００３０】
以上のように、本実施形態によれば、多段階の調光状態の読取結果の中から、総合信頼度Ｒが最も高い読取結果を、測定値に設定するため、一層信頼度の高い測定値を取得できる。
【００３１】
［第３実施形態］
次に、図５に示すブロック図を参照し、本発明の第３実施形態による計測器自動読取システムについて説明する。なお、図５において、図１の各部に対応する部分には同一の符号を付し、その説明を省略することがある。
【００３２】
図５において、計測器１の表面または計測器１の近傍には照度計６が配置されている。なお、図示の例では照度計６を１台のみ設けているが、照度計６は、計測器１毎に複数設けてもよい。撮像カメラ２および照明灯３の機能は、第１，第２実施形態のもの（図１参照）と同様である。
【００３３】
但し、本実施形態において、制御装置５は、記憶部５５と照度判定部５６とを有している。照度判定部５６は、ネットワーク４経由で照度計６から、照明灯３の消灯状態の照度（以下、消灯状態照度という）を取得し、その消灯状態照度を記憶部５５に記憶させる。また、照度判定部５６は、記憶部５５に記憶されている前回の消灯状態照度と、今回の消灯状態照度とを比較し、照明制御部５３はその比較結果に基づいて、照明灯３を制御する。
【００３４】
次に、図６に示すフローチャートを参照し、本実施形態の動作を説明する。なお、本フローチャートは、制御装置５に記憶された制御プログラムのフローチャートである。
計測器１の測定値の読取動作を開始させるべき読取タイミングになると、タイミング制御部５１は、該制御プログラムを起動する。
図６において処理がステップＳ３０１に進むと、消灯状態照度が測定される。すなわち、照明制御部５３は、照明灯３を消灯状態に設定し、照度判定部５６は、照度計６から消灯状態照度を取得する。
【００３５】
次に、処理がステップＳ３０２に進むと、照度判定部５６は、記憶部５５から、「前回の照度（前回、ステップＳ３０１が実行された際に取得された消灯状態照度）」を読出し、「今回の照度（今回、ステップＳ３０１が実行された際に取得された消灯状態照度）」とを比較し、両者がほぼ等しいか否かを判定する。ここで、「ほぼ等しい」とは、例えば今回の照度が、前回の照度の「±５％」の範囲内である場合をいう。
【００３６】
ステップＳ３０２において「Ｎｏ」と判定されると、ステップＳ３０３〜Ｓ３０５の処理が実行される。これらの処理は、上述した第２実施形態におけるステップＳ２０１〜Ｓ２０３（図４参照）と同様である。すなわち、ステップＳ３０３においては、照明制御部５３は、調光状態を多段階に変化させ、各段階の調光状態にて撮像された画像データが数値読取部５２によって取得される。また、ステップＳ３０４においては、数値読取部５２は、各調光状態の画像データから、測定値である数値を読み取るとともに、各読取結果における画像信頼度Ｒ１を算出する。
【００３７】
また、ステップＳ３０５においては、判定部５４は各読取結果に基づいて数値妥当性Ｒ２および総合信頼度Ｒを計算し、総合信頼度Ｒが最も高い読取結果を、今回の読取タイミングにおける測定値に設定する。次に、処理がステップＳ３０７に進むと、先にステップＳ３０１にて測定された消灯状態照度と、ステップＳ３０５にて最も高い総合信頼度Ｒに係る調光状態とが記憶部５５に記憶される。このステップＳ３０７において記憶部５５に記憶された消灯状態照度は、次回にステップＳ３０１が実行される際には、上述した「前回の照度」として用いられる。
【００３８】
一方、上述したステップＳ３０２において「Ｙｅｓ」（今回の照度は前回の照度とほぼ等しい）と判定されると、処理はステップＳ３０６に進む。ここでは、前回の調光状態で撮像が行われる。すなわち、照明制御部５３によって記憶部５５から前回の調光状態が読み出され、読み出された調光状態が各照明灯３に適用される。さらに、数値読取部５２は、その調光状態で各計測器１の表示部１ａを各撮像カメラ２に撮像させる。各撮像カメラ２によって撮像された画像データが数値読取部５２に供給されると、数値読取部５２は、各画像データから、測定値を読み取る。判定部５４は、この測定値を今回の読取タイミングにおける測定値に設定する。次に、処理がステップＳ３０７に進むと、先にステップＳ３０１にて測定された消灯状態照度と、今回適用された調光状態とが記憶部５５に記憶される。上述したステップＳ３０１〜Ｓ３０７の処理が所定時間毎に繰り返されることにより、該所定時間毎の各表示部１ａの測定値が制御装置５に蓄積されてゆく。
【００３９】
以上のように、本実施形態によれば、前回の消灯状態照度と今回の消灯状態照度とがほぼ等しい場合には、前回の調光状態を指定するため、第１，第２実施形態の効果に加えて、適切な調光状態を速やかに設定できるという効果を奏する。
【００４０】
［第４実施形態］
次に、本発明の第４実施形態による計測器自動読取システムについて説明する。
第４実施形態のハードウエア構成は、第３実施形態のもの（図５）と同様であるが、照明制御部５３および記憶部５５の機能は第３実施形態のものとは相違する。まず、本実施形態における記憶部５５は、複数の時点における消灯状態照度と、これら消灯状態照度に対応する調光状態とを関連付けてデータベースに記憶する。また、照明制御部５３は、このデータベースを参照することにより、各照明灯３の調光状態を制御する。
【００４１】
次に、図７に示すフローチャートを参照し、本実施形態の動作を説明する。なお、本フローチャートは、制御装置５に記憶された制御プログラムのフローチャートである。
計測器１の測定値の読取動作を開始させるべき読取タイミングになると、タイミング制御部５１は、該制御プログラム（図７）を起動する。
図７において処理がステップＳ４０１に進むと、上述したステップＳ３０１（図６参照）と同様に消灯状態照度が測定される。
【００４２】
次に、処理がステップＳ４０２に進むと、照度判定部５６は、記憶部５５に記憶されたデータベースに、今回の照度（今回、ステップＳ４０１が実行された際に取得された消灯状態照度）に近似する消灯状態照度が記憶されているか否かを判定する。ここで、「近似する」とは、例えば今回の消灯状態照度が、データベース内に記憶されている消灯状態照度の「±５％」の範囲内である場合をいう。
【００４３】
ステップＳ４０２において「Ｎｏ」と判定されると、ステップＳ４０３〜Ｓ４０５の処理が実行される。これらの処理は、上述した第２実施形態におけるステップＳ２０１〜Ｓ２０３（図４参照）と同様である。すなわち、ステップＳ４０３においては、照明制御部５３は、調光状態を多段階に変化させ、各段階の調光状態にて撮像された画像データが数値読取部５２によって取得される。また、ステップＳ４０４においては、数値読取部５２は、各調光状態の画像データから、測定値である数値を読み取るとともに、各読取結果における画像信頼度Ｒ１を算出する。
【００４４】
また、ステップＳ４０５においては、判定部５４は各読取結果に基づいて数値妥当性Ｒ２および総合信頼度Ｒを計算し、総合信頼度Ｒが最も高い読取結果を、今回の読取タイミングにおける測定値に設定する。次に、処理がステップＳ４０７に進むと、先にステップＳ４０１にて測定された消灯状態照度と、ステップＳ４０５にて最も高い総合信頼度Ｒに係る調光状態とが記憶部５５内のデータベースに記憶される。
【００４５】
一方、上述したステップＳ４０２において「Ｙｅｓ」（今回の照度に近似する消灯状態照度がデータベースに含まれる）と判定されると、処理はステップＳ４０６に進む。ここでは、当該消灯状態照度に対応する調光状態で撮像が行われる。すなわち、照明制御部５３によって当該消灯状態照度に対応する調光状態がデータベースから読み出され、読み出された調光状態が各照明灯３に適用される。さらに、数値読取部５２は、その調光状態で各計測器１の表示部１ａを各撮像カメラ２に撮像させる。
【００４６】
各撮像カメラ２によって撮像された画像データが数値読取部５２に供給されると、数値読取部５２は、各画像データから、測定値を読み取る。判定部５４は、この測定値を今回の読取タイミングにおける測定値に設定する。次に、処理がステップＳ４０７に進むと、上述したように、今回の消灯状態照度と、最も高い総合信頼度Ｒに係る調光状態とが記憶部５５内のデータベースに記憶される。上述したステップＳ４０１〜Ｓ４０７の処理が所定時間毎に繰り返されることにより、該所定時間毎の各表示部１ａの測定値が制御装置５に蓄積されてゆく。
【００４７】
以上のように、本実施形態によれば、データベースに記憶された何れかの過去の消灯状態照度と、今回の消灯状態照度とがほぼ等しい場合には、過去の調光状態を指定するため、第１，第２実施形態の効果に加えて、適切な調光状態を速やかに設定できるという効果を奏する。さらに、データベースには複数の消灯状態照度と調光状態とが記憶されているため、調光状態を速やかに設定できる可能性を一層高めることができる。
【００４８】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、例えば以下のようなものである。
【００４９】
（１）上記第３，第４実施形態において、ステップＳ３０３〜Ｓ３０５の処理（図６）およびステップＳ４０３〜Ｓ４０５の処理（図７）は、第２実施形態のステップＳ２０１〜Ｓ２０３の処理（図４）と同様のものであった。しかし、これらの部分の処理を第１実施形態のステップＳ１０１〜Ｓ１０３の処理（図２）と同様にしてもよい。すなわち、点灯状態および消灯状態の二状態の画像データに基づいて測定値を決定するようにしてもよい。
【００５０】
（２）上記各実施形態においては、画像信頼度Ｒ１と数値妥当性Ｒ２の乗算結果を総合信頼度Ｒとしたが、画像信頼度Ｒ１または数値妥当性Ｒ２のうち一方のみを総合信頼度Ｒとしてもよい。
【００５１】
（３）上記各実施形態における制御装置５のハードウエアは一般的なコンピュータによって実現できるため、図２、図４、図６、図７に示したフローチャートに係るプログラム等を記憶媒体に格納し、または伝送路を介して頒布してもよい。
【００５２】
（４）図２、図４、図６、図７のフローチャートに示した処理は、上記各実施形態ではプログラムを用いたソフトウエア的な処理として説明したが、その一部または全部をＡＳＩＣ(Application Specific Integrated Circuit；特定用途向けＩＣ)、あるいはＦＰＧＡ(field-programmable gate array)等を用いたハードウエア的な処理に置き換えてもよい。
【符号の説明】
【００５３】
１  計測器
１ａ  表示部
２  撮像カメラ（カメラ）
３  照明灯
４  ネットワーク
５  制御装置（計測器自動読取装置、コンピュータ）
６  照度計
５０  インタフェース部
５１  タイミング制御部
５２  数値読取部（数値読取手段）
５３  照明制御部（照明制御手段）
５４  判定部（判定手段）
５５  記憶部
５６  照度判定部
【図１】
2017106782.tif 000003
【図２】
2017106782.tif 000004
【図３】
2017106782.tif 000005
【図４】
2017106782.tif 000006
【図５】
2017106782.tif 000007
【図６】
2017106782.tif 000008
【図７】
2017106782.tif 000009